(57)【要約】【課題】  排水のための止水部材を簡単に取り付けられ、また、シールが確実に行われる一部に排水流路を有した構造体の提供。【解決手段】  一部に排水流路を有する建築構造体２と、排水流路を流路途中で遮断して止水するための止水部材２０とを備える。止水部材２０は、シール材２５とブロック材２６とクサビ材２７とからなる。構造体２は、排水流路の止水箇所に、排水流路を構成する流路壁を切欠いた切欠き部２４を有し、切欠き部２４に排水流路上流側小口とブロック材２６との間にシール材２５を介在させてブロック材２６を前記切欠き部２４に嵌め込み、ブロック材２６と切欠き部２４の排水流路下流側小口との間にクサビ材２７を圧入する。【選択図】図８
2014034808.tif 000002
【特許請求の範囲】
【請求項１】
一部に排水流路を有する建築構造体と、排水流路を流路途中で遮断して止水するための止水部材とを備え、
止水部材は、シール材とブロック材とクサビ材とからなり、
構造体は、排水流路の止水箇所に、排水流路を構成する流路壁を切欠いた切欠き部を有し、
構造体の前記切欠き部の排水流路上流側小口とブロック材との間にシール材を介在させてブロック材を前記切欠き部に嵌め込み、ブロック材と切欠き部の排水流路下流側小口との間にクサビ材を圧入して構造体に止水部材を取り付けてあることを特徴とした建築構造体。
【発明の詳細な説明】
【技術分野】
【０００１】
この発明は、方立のような建築用構造体に構成される排水流路を流路途中で遮断して止水するための構造に関する。
【背景技術】
【０００２】
建築構造体（以下、構造体）に侵入する雨水や結露水などの侵入水は、構造体の中空部分を流路に利用して屋外に排出されることが多い。排出口は排水流路の途中や末端（下端）に形成され、この箇所にキャッチパンや止水部材が取り付けられる。キャッチパンや止水部材は、排水流路において、上流からの侵入水を受け止めて排出口へと誘導するためのものである。
キャッチパンや止水部材は、排水流路を遮断する配置で排水流路に取付けられ、その周囲と排水流路を構成する流路壁との間を湿式にシール材を充填して止水している。
特許文献１の水密構造では、その５図に明らかなように、縦材１の中空溝（飲み込み溝１１）を排水流路として利用し、縦材１に横材２が結合される箇所に排水ブロック３を嵌め込み、この排水ブロックの周囲と飲み込み溝１１を構成している流路壁との間に湿式のシール材４を充填して水密を図っている。そして、排水ブロックで受け止めた進入水を横材２の飲み込み溝２１へ誘導するようにしてある。
【先行技術文献】
【特許文献】
【０００３】
【特許文献１】特開平７−２６９０００号公報
【発明の概要】
【発明が解決しようとする課題】
【０００４】
しかし、流路壁に囲まれた狭い空間にキャッチパンや止水部材を嵌め込み、その周囲に湿式シールを充填する作業は、特許文献１の段落００１３に記載があるように、縦材１の見込み片１２に開けられた充填口１６からこれに対応して開けられた排水ブロック３の充填口３４を通じてか、あるいは、排水ブロック３に設けた充填口３４の横材側開放口から、充填ガン６によって充填するもので、作業が困難で手間を要する。このために、止水部材が配置された箇所でシールが確実でなくなってしまう恐れもある。
この発明は、排水のための止水部材を簡単に取り付けられ、また、シールが確実に行われる一部に排水流路を有した構造体の提供を課題とする。
【課題を解決するための手段】
【０００５】
一部に排水流路を有する構造体と、排水流路を流路途中で遮断して止水するための止水部材とを備え、止水部材は、シール材とブロック材とクサビ材とからなるものとする。
シール材は合成ゴムのシール材のように、水密機能がある有形のプレート状のものである。
【０００６】
構造体の排水流路に設ける止水箇所では、排水流路を構成する流路壁を切欠いた切欠き部が形成されており、ブロック材をこの切欠き部へ嵌め込んで固定する。その際、切欠き部における排水流路の上流側小口とブロック材との間にシール材を介在させる。また、固定は、切欠き部に嵌め込んだブロック材と切欠き部の排水流路下流側の小口との間にクサビ材を圧入することで行なわれる。
構造体は、例えば方立である。この場合、方立の内側空間が隔壁によって屋内外に区画され、隔壁と両側の壁によって形成される屋外側空間が排水流路とされる。
シール材はあらかじめブロック材の表面に設けておいてもよい。
あらかじめ設けるシール材は、シールブロックの排水流路上流側の面と室外側面に配置するものとし、室外側面のシール材は上方と下方に分離させ、間に排水路を形成しておく。
【発明の効果】
【０００７】
構造体に設けた切欠き部において、流路の上流側となる小口にシール材がブロック材により押し当てられるので、侵入水に対するシール効果が高い。
構造体に設けた切欠き部にシール材と共にブロック材を嵌め込み、ついで、クサビ材を圧入するだけの作業で止水部材を取り付けることができるので、止水部材の取付け作業が簡単である。
シール材がブロック材の表面にあらかじめ取り付けられていると、キャッチパンの取付け作業はさらに簡単になる。
【図面の簡単な説明】
【０００８】
【図１】〔Ａ〕は、カーテンウォールの室外側正面図（一部）、〔Ｂ〕はそのＡ−Ａ断面図。
【図２】〔Ａ〕は、パネルユニットの正面図、〔Ｂ〕は、窓ユニットの正面図。
【図３】図１のＢ−Ｂ断面（方立箇所の横断面図）。
【図４】図１のＣ−Ｃ断面（パネルユニットと窓ユニット間の縦断面図）。
【図５】〔Ａ〕は、方立の正面図、〔Ｂ〕は、〔Ａ〕のＤ−Ｄ断面見通し図。
【図６】方立の上部構造を示した斜視図。
【図７】方立の上部を正面側から見た斜視図。
【図８】方立の下部構造を分解して示す斜視図。
【図９】〔Ａ〕は、方立の下部箇所を示す斜視図、〔Ｂ〕は、その要部の拡大図。
【図１０】実施例２における止水部材の斜視図。
【図１１】実施例３の斜視図。
【図１２】実施例３の止水部材。
【図１３】模式的に示した側面図。
【図１４】実施例３の平面図。
【発明を実施するための形態】
【０００９】
〔実施例１〕
図１Ａ、Ｂに示すカーテンウォール１は、正面視において等間隔に立設された方立２と、複数のパネルユニット３とで構成されている。パネルユニット３の一部は窓ユニット３ａとなっている。
パネルユニット３は、図２のように、上下の横枠４，５と左右の縦枠６，７とからなる方形のユニット枠８とその内側に装着されるパネル９を備える。パネル９は前記の窓ユニット３ａでは、開閉障子９ａとされることがある。
パネルユニット３は、図３，４に示すように、構造体としての方立２の室外側面に、隣接するパネルユニット３，３の左右縦枠６，７の室内側面を当接して配置され、それぞれのパネルユニット３の四隅に固定したボルト１０とナット１１により方立２に取付けられる。
【００１０】
図３に示すように、方立２は内側空間が隔壁１２で室内側空間１３と室外側空間１４に分割されており、室外側空間１４は室外側が開放された溝状の方立２の長手方向に通じた等圧用空間となっている。符号１５は一次シール材であり、ユニット枠８における左右の縦枠６，７の側面に取り付けられている。また、符号１６はウインドバリア材であり、方立２の左右の側壁１７，１８の室外側面に取付けられている。方立２の等圧用空間（室外側空間１４）は、ウインドバリア１６を突破した雨水や内部の結露水などが誘導されて流れ落ちる侵入水の排水流路となる。
【００１１】
方立２の室外側空間１４には、上部に気密ブロック１９が、下部に止水部材２０が、また、これらの中間に中間キャッチパン２１やパネルユニット３を取付けるための補助部材２２が取付けられている。
上部の気密ブロック１９（図６，７）は、方立２の上端開放箇所を閉鎖するものであり、方立２の室外側空間１４に上端部から嵌め込んであらかじめ定めた位置に固定し、室外側空間１４を形成している隔壁１２と方立２の左右の側壁１７，１８による溝壁（流路壁）との間に湿式のシール材２３を充填してある。
中間キャッチパン２１は通常の皿型のものであり、方立２の室外側空間１４へ水平に嵌め込んで固定し、その周囲と前記溝壁との間に湿式シール材を充填してある。
【００１２】
止水部材２０は、方立２の下部に形成した切欠き部２４に嵌め込まれて取付けられる。止水部材２０は、シール材２５とブロック２６とクサビ部材２７とからなる（図８）。
シール材２５は合成ゴムのプレート材であり、ブロック材２６はこの実施例において押出成形された中空角棒材を方立２の見付け寸法に切断したものである。
クサビ材２７は、剛性の高い合成樹脂薄板あるいはアルミ合金の薄板であり、方立２の横断面における室外側空間１４箇所の断面とほぼ同面積・同形状の板である。
方立２の前記切欠き部２４の上下間隔ｈ１は、ブロック材２６の上下高さｈ２よりも大きく、この上下高さｈ２にシール材２５とクサビ部材２７の厚さ寸法を加えた寸法よりも若干小さくしてある。
【００１３】
方立２の切欠き部２４に対して止水部材２０は、まず、シール材２５を切欠き部２４における上方の小口（排水流路上流側小口）にあてがい、ついで、ブロック材２６を切欠き部２４に嵌め込んで、排水流路上流側小口との間にシール材２５を介在させる。ついで、ブロック材２６と切欠き部２４の下方の小口（排水流路下流側小口）との間にクサビ材２７を圧入する。ブロック材２６は上方へ押されて、前記の止水部材２０を上方の小口へ押し付けるように方立２に固定される。
このため、ブロック材２６と上方の小口間の水密は確実にかつ簡単に確保される。また、ブロック材２６と方立２とのいわゆるメタルタッチを避けることが出来る。
【００１４】
図９〔Ａ〕〔Ｂ〕は、方立２の下端部に取付けた止水部材２０と他の部材との取り合いを示したものであり、止水部材２０の上面は、方立２の下端に連結部材２８で結合されたスターター枠２９の突合せ目地箇所３０の上面につながっている。スターター枠２９は長手方向に排水誘導溝３１を有しており、排水誘導溝３１には溝底にスターター枠２９内へ水を誘導する水抜き孔３２が開いている（図には見えていない）。前記の突合せ目地箇所３０には工場で充填された先付けシール材３３が存在しているが、この先付けシール材３３とブロック材２６の室外側面間には湿式シール材３４を充填するが、湿式シール材３４の水密効果を上げるため、湿式シール材３４をブロック材２６の室外側面へ直接に接触させている。符号３４も湿式シール材の充填箇所である。
【００１５】
以上の構造であって、方立２の室外側空間１４に侵入した水は、この空間１４を排水流路として下方へ流下し、下端部の止水部材２０に落ちて、室外方向に誘導される。ついで、スターター枠２９の排水誘導溝３１に落ち、前記水抜き孔３２からスターター枠２９内に入り、スターター枠２９内を移動して室外に排出される。
【００１６】
〔実施例２〕
図１０は、実施例２における止水部材２０を示しており、前記の実施例１と異なる点は、シール材２５がブロック材２６の上面と室外側面に渡ってあらかじめ接着などによってブロック材２６に取付けられていることと、室外側面において、シール材２５が左右に分離されており、間にブロック材２６が直接に露出している点である。
【００１７】
シール材２５がブロック材２６にあらかじめ取付けられているので、止水部材２０を扱いやすく、ブロック材２６をシール材２５と共に方立２の切欠き部２４へ嵌め込む作業を行いやすい。
また、ブロック材２６の室外面にシール材２５が存在しない箇所が出来るので、前記のように、スターター枠２９の突合せ目地箇所３０における先付けシール材３３と止水部材２０との間に湿式シール材３４を充填すると止水部材２０側との馴染みよく、高い水密性能を得ることができる。
さらに、止水部材２０は室外側面の左右にシール材２５を備えることでスターター枠２９の室内側面とメタルタッチを避けることができる。
【００１８】
〔実施例３〕
実施例３は、止水部材２０をカーポートなどの雨どい３５に利用した例である（図１１）。雨どい３５の室外側には、湾曲した室外側壁３６とこれと間隔を取った室内側壁３７及び底壁３８とで排水流路が構成されている。実施例１の場合と同様に、排水流路を構成する壁部分に切欠き部２４が形成され、切欠き部２４に止水部材２０が取付けられている。図１３は、止水部材２０の配置を側面から模式的に示したものであり、図１４は平面図である。
【００１９】
図１２のように、止水部材２０は、実施例１の場合と同様にシール材２５とブロック材２６及びクサビ材２７とで構成されている。
そして、止水部材２０は、切欠き部２４の排水流路上流側の小口にシール材２５を当ててブロック材２６を嵌め込み、ついで、クサビ材２７をブロック材２６と排水流路下流側の小口との間に差し込んで圧入する。これによりブロック材２６が雨どい３５に固定されると共に、シール材２５が上流側小口に圧接され、高い水密効果が得られる。実施例１の場合と同様に、ブロック材２６にシール材２５をあらかじめ取付けておくと、止水部材２０を取付けやすい。
雨どい３５のような場合、雨どい３５の室外側に部材はなく、止水部材２０と他の部材とのメタルタッチや水密は考慮する必要がないので、止水部材２０の室外側にシール材２５を配置することはない。
【００２０】
以上、実施例を示した。止水部材２０の形態やブロック材２６の素材などは適用する箇所に応じて適切なものが選択される。
止水部材２０を取付けた後、必要箇所に湿式シール材を充填することもある。
止水部材２０は方立２の下端ではなく中間部などにも取り付けることが出来る。
構造体は方立２や雨どい３５に限らず、排水流路が形成されている構造体に適用することができる。
【符号の説明】
【００２１】
１  カーテンウォール
２  方立（構造体）
３  パネルユニット
３ａ  窓ユニット
４  上横枠
５  下横枠
６  左縦枠
７  右縦枠
８  ユニット枠
９  パネル
１０  ボルト
１１  ナット
１２  隔壁
１３  室内側空間
１４  室外側空間
１５  一次シール材
１６  ウインドバリア
１７  方立の側壁（左）
１８  方立の側壁（右）
１９  気密ブロック
２０  止水部材
２１  中間キャッチパン
２２  補助部材
２３  充填シール材
２４  切欠き部
２５  シール材
２６  ブロック材
２７  クサビ材
２８  連結部材
２９  スターター枠
３０  突合せ目地箇所
３１  排水誘導溝
３２  水抜き孔
３３  先付けシール材
３４  湿式シール材
３５  雨どい
【図１】
2014034808.tif 000003
【図２】
2014034808.tif 000004
【図３】
2014034808.tif 000005
【図４】
2014034808.tif 000006
【図５】
2014034808.tif 000007
【図６】
2014034808.tif 000008
【図７】
2014034808.tif 000009
【図８】
2014034808.tif 000010
【図９】
2014034808.tif 000011
【図１０】
2014034808.tif 000012
【図１１】
2014034808.tif 000013
【図１２】
2014034808.tif 000014
【図１３】
2014034808.tif 000015
【図１４】
2014034808.tif 000016